(57)【特許請求の範囲】
【請求項１】
空調室外機が載置される天井部、この天井部から下方に延設される側壁部、および側壁部の下端において前記天井部に対向する設置部が樹脂で一体成形されてなる空調室外機の据付台において、前記側壁部には、ドレンホースを固定する固定部材が係止される係止部が設けられ、前記係止部は、前記側壁部の長手方向に沿って形成されたドレンホース係入溝からなることを特徴とする空調室外機の据付台。
【請求項２】
前記側壁部は、前記係止部に対応する箇所のみ肉厚に形成されていることを特徴とする請求項１記載の空調室外機の据付台。
【発明の詳細な説明】
【０００１】
【発明の属する技術分野】
本発明は、空調機器におけるドレンホース端末部の固定構造、および空調室外機の据付台に関する。
【０００２】
【従来の技術】
エアーコンディショナなどの空調機器においては、冷媒の熱交換を行うために屋外の壁面近くに空調室外機が設置される。また、空調室内機での熱交換の際に結露等によって水滴が発生するので、このような水滴を排出するためにドレンホースが屋外まで延設されている。
【０００３】
ところで、地球環境保全等の観点から、近年は、フロンガス等の冷媒の使用が禁止され、塩化メチル等の新たな冷媒が使用されるようになってきている。このような新冷媒はフロンガスに比べて熱交換効率が低下するため、これを補うために空調室外機の冷却能力を高めており、その結果、空調室外機の全体形状も比較的大きくなってきている。
【０００４】
一方、空調室外機を屋外に設置する際には、傾斜したり転倒したりすることがないように据付台が使用される。上記のように空調室外機の全体形状が比較的大きくなっていることもあり、据付台はできだけ嵩ばらず、しかも、取り扱い易いことが望まれる。
【０００５】
このため、据付台としては、近年、コンクリートブロックよりも軽量で加工も容易な樹脂製のものが多用されている。このような従来の樹脂製の据付台を用いて空調室外機を設置した場合の一例を図８および図９に示す。
【０００６】
これらの図において、１は空調室外機、２は据付台である。この据付台２は、例えば、樹脂製のものが採用されるものである。そして、この据付台２は、方形筒状のもので、固定金具５が挿入されてこの固定金具５が路面に固定される。また、この据付台２は、その上部中央に空調室外機１の取付ボルト６の係止溝７が長手方向に沿って形成されている。そして、この据付台２は、その係止溝７に係入した取付ボルト６およびナット８、ワッシャ９を適用することで、空調室外機１の底部のフランジ１０に取り付けられている。
【０００７】
【発明が解決しようとする課題】
ところで、従来のこの種の樹脂製の据付台は、単に空調室外機１を載置するだけの機能しかなく、ドレンホース（図示せず）は屋外に単に引き出されたままの放置状態になっている。
【０００８】
そして、ドレンホースが屋外に引き出されて放置されたままの状態であると、ドレンホースの途中が浮き上がってしまい、排水が円滑に行えなくなったり、ドレンホースを不意に踏み付けたりして破損するなどの不具合を生じる。
【０００９】
そこで、従来技術では、ドレンホースの途中を樹脂粘度などを用いて固定するなどの対策が講じられているが、このような固定は不安定で、樹脂粘度が経年変化で劣化してドレンホースが外れてしまい易いものであった。
【００１０】
また、他の従来技術として、断面台形状の箱型をした据付台においては、上部中央にドレンホースのガイド用凹部を設け、このガイド用凹部にドレンホースを挿入するようにしたものも提案されている。
【００１１】
しかし、この構造のものでは、ドレンホースを無理やり大きく曲げてガイド用凹部に導かねばならず、そのためドレンホースに余分な力が加わって損傷し易いものであった。また、ドレンホースは固定できないために、不意に外れてしまうなどの不具合もあった。
【００１２】
本発明は、上記の事情に鑑みてなされたものであって、その目的とするところは、ドレンホースを長期にわたって確実に固定することができ、また、水抜き勾配の確保も容易で、さらにそのための施工も簡単に行うことができる空調機器におけるドレンホース端末部の固定構造、および空調室外機の据付台を提供することにある。
【００１３】
【課題を解決するための手段】
上記の目的を達成するために、本発明は、次のようにしている。
【００１６】
請求項１記載の発明に係る空調室外機の据付台は、空調室外機が載置される天井部、この天井部から下方に延設される側壁部、および側壁部の下端において前記天井部に対向する設置部が樹脂で一体成形されてなる空調室外機の据付台において、前記側壁部には、ドレンホースを固定する固定部材が係止される係止部が設けられていることを特徴としている。さらに、前記係止部は、前記側壁部の長手方向に沿って形成されたドレンホース係入溝からなることを特徴としている。
【００２１】
請求項２記載の発明に係る空調室外機の据付台は、請求項１記載の発明の構成において、前記側壁部は、前記係止部に対応する箇所のみ肉厚に形成されていることを特徴としている。
【００２２】
【発明の実施の形態】
以下、本発明の実施の形態について、図面を参照して詳細に説明する。
［実施の形態１］
図１は本発明の実施の形態１に係る空調室外機の据付台の要部を示す斜視図、図２はドレンホースを固定する固定手段を拡大して示す断面図、図３は据付台に固定手段を用いてドレンホースを固定した状態を示す斜視図であり、図８および図９に示した従来技術と対応する構成部分には同一の符号を付す。
【００２３】
この実施の形態１における据付台２は、樹脂製のもので、幅方向において左右対称型に形成されており、図示しない空調室外機が上部に載置される天井部１２、この天井部１２の幅方向両端からそれぞれ下方に延設された側壁部１３、および各側壁部１３の下端において前記天井部１２に対向する設置部１４が樹脂で一体成形されている。
【００２４】
そして、天井部１２には、その上部中央に空調室外機を取り付ける取付ボルトの係止溝７が長手方向に沿って形成され、また、天井部１２の上面と設置部１４の下面には滑り止め用の凹凸面１２ａ，１４ａが形成されている。さらに、この実施の形態１の特徴として側壁部１３にはドレンホース１５を固定する固定手段１７１が設けられている。
【００２５】
この固定手段１７１は、ドレンホース１５を固定する固定部材としてのサドル１８と、このサドル１８の脚部先端が嵌合する係止部としての嵌合穴１９とからなる。すなわち、サドル１８は、円弧状のフック部２０と、このフック部２０の一端から延設された円筒状の脚部２１とを有する。また、側壁部１３の長手方向に沿って形成された補強用の肉厚部分２２に対応する箇所に凹溝２３が形成され、この凹溝２３から内方に向けて有底の嵌合穴１９が凹溝２３の長手方向に沿って所定のピッチで形成されている。
【００２６】
そして、サドル１８のフック部２０にドレンホース１５の軸線が水平面に対して水抜き勾配（傾斜角θ）を有するように係止され、また、サドル１８の脚部２１が嵌合穴１９に嵌合固定されている。
【００２７】
このように、この実施の形態１では、側壁部１３にドレンホース１５を固定する固定手段１７１を設けたので、ドレンホース１５を据付台２に固定する際に、据付台２の全体の高さを低く抑えることができる。このため空調室外機の全体形状が比較的大きくなっても、従来と同様に、限られたスペース内に空調室外機を設置することができる。
【００２８】
また、ドレンホース１５の途中の浮き上がりが防止できるため結露水を常に円滑に外部に排水することができる。しかも、ドレンホース１５を不意に踏み付けて破損するといったことを防止することができる。
【００２９】
さらに、サドル１８のフック部２０にドレンホース１５を係止した状態で脚部２１を嵌合穴１９に差し込んだ後、ネジ２４でこのサドル１８を据付台２に確実に取り付ければ、ドレンホース１５を据付台２に対して簡単に固定することができるため、その際の施工が容易である。
【００３０】
また、側壁部１３の嵌合穴１９の形成箇所は肉厚部分２２として形成されているので、ドレンホース１５を固定する箇所の強度を確保しつつも、据付台２形成のための樹脂全体の使用量が少なくて済むため、安価に実施することができる。そして、この実施の形態１に示した図１の場合、嵌合穴１９を利用することで、サドル１８のような固定部材の位置決めが確実に、しかも、容易にできる上に、嵌合穴１９を利用するかわりに、凹溝２３を利用することで、据付台２の長手方向の所望位置にてサドル１８のような固定部材の固定を容易にすることもできて、非常に好ましいものである。すなわち、この実施の形態１に示した図１の場合、使用したい方法によって、嵌合穴１９または凹溝２３を自由に選択して利用することができるものである。
【００３１】
なお、この実施の形態１では嵌合穴１９は有底のものとしたが、側壁部１３を前後に貫通する貫通穴とし、サドル１８の脚部２１の先端をこの嵌合穴１９に挿通して、ドレンホース１５を固定する構造にすることも可能である。
［実施の形態２］
図４は本発明の実施の形態２に係る空調室外機の据付台におけるドレンホースの固定手段の部分を拡大して示す斜視図であり、図８および図９に示した従来技術と対応する構成部分には同一の符号を付す。
【００３２】
この実施の形態２における空調室外機の据付台２においても、実施の形態１の場合と同様に、この据付台２の側壁部１３にドレンホース１５を固定する固定手段１７２が設けられている。
【００３３】
この実施の形態２の場合の固定手段１７２は、ドレンホース１５を固定する固定部材としてのサドル２５と、このサドル２５の脚部先端が圧入係合される係止部としての係合溝２６とからなる。すなわち、サドル２５は、半割り円形状の挟着部２７とこの挟着部２７の一端から延設された矢印形の脚部２８とを有する。また、係合溝２６は、側壁部１３の長手方向に沿って側壁部１３の内方に向けて凸状に膨出させて形成されている。
【００３４】
そして、サドル２５の挟着部２７にドレンホース１５が水抜き勾配を有して係止されるとともに、脚部２８が係合溝２６に係合固定される。このサドル２５のような固定部材と同固定部材の脚部２８先端が圧入係合する係合溝２６とにより、同固定部材の取付をワンタッチで簡略に行うことができる。
【００３５】
その他の構成は実施の形態１の場合と同様であるから、ここでは詳しい説明は省略する。
【００３６】
このように、この実施の形態２においても、据付台２の側壁部１３にドレンホース１５を固定する固定手段１７２が設けられているので、実施の形態１の場合と同様に、据付台２の高さを低く抑えたまま、ドレンホース１５を据付台２に対して簡単に固定することができる。
［実施の形態３］
図５は本発明の実施の形態３に係る空調室外機の据付台の縦断面図であり、図８および図９に示した従来技術と対応する構成部分には同一の符号を付す。
【００３７】
この実施の形態３における空調室外機の据付台においても、実施の形態１，２の場合と同様に、この据付台２の側壁部１３にドレンホース１５を固定する固定手段１７３が設けられている。
【００３８】
この実施の形態３の場合の固定手段１７３は、側壁部１３の長手方向に沿って形成されたドレンホース係入溝２９からなる。したがって、このドレンホース係入溝２９はドレンホース１５が嵌め込まれるのに適した大きさになるように予め設定されている。
【００３９】
この構成において、ドレンホース１５を据付台２に固定するには、上記の側壁部１３のドレンホース係入溝２９内にドレンホース１５を係入するだけでよく、実施の形態１，２のようなサドル１８，２５等の他の固定部材は不要なので、安価に実施することができる。
【００４０】
その他の構成は実施の形態１の場合と同様であるから、ここでは詳しい説明は省略する。
【００４１】
なお、上記の実施の形態１では、側壁部１３の長手方向に沿って補強用の肉厚部分２２に対応する箇所に凹溝２３を形成しているが、図６に示す本発明の他の実施の形態に係る空調室外機の据付台のように、凹溝２３を省略し、嵌合穴１９のみを所定のピッチで形成した構成とすることもできる。この図６に示す場合、嵌合穴１９にてサドル１８，２５等のような固定部材の位置決めが確実に、しかも、容易にできる。
【００４２】
さらに、上記の実施の形態１では、側壁部１３の長手方向に沿って嵌合穴１９を所定のピッチで形成しているが、このような嵌合穴１９を設けずに、図７に示すように、補強用の肉厚部分２２に対応する箇所に係止部としての凹溝２３を長手方向に沿って一連に形成しておき、この凹溝２３をネジの位置決め用として利用することで、実施の形態１のようなサドル１８を用いてドレンホースを図３に示すごとき形態に固定するようにすることも可能である。
【００４３】
この図７に示す場合、凹溝２３を利用することで、据付台２の長手方向の所望位置にてサドル１８，２５等のような固定部材の固定を容易にできて、非常に好ましいものである。具体的には、サドル１８を凹溝２３上で所望の位置に持ってきて、ネジ２４を円筒状の脚部２１に差し込み、この差し込んだネジ２４の脚部分を凹溝２３に嵌め込んでサドル１８を係止させるようにしているものであり、図３に示すように同サドル１８のフック部２０にドレンホース１５の軸線が水平面に対して水抜き勾配（傾斜角θ）を有するように係止固定されており、外観上では嵌合穴１９を設けている場合で同嵌合穴１９を利用して、サドル１８の脚部２１が嵌合穴１９に嵌合固定されているものと変わりなく仕上げられるものである。なお、この凹溝２３の幅は、サドル１８，２５等のような固定部材の脚部の径に対応するように自由自在に設定することができるものである。
【００４４】
以上、説明したように、本発明の空調機器におけるドレンホース端末部の固定構造、および空調室外機の据付台によると、空調室外機が載置される据付台に着脱自在に取り付けられた固定部材によってドレンホース端末部が固定され、また、側壁部にドレンホースを固定する固定手段が設けられているので、上記いずれの実施の形態においても、ドレンホースを長期にわたって確実に固定することができ、さらに、ドレンホースを固定するための施工を簡単に行うことができるものである。そして、ドレンホースの途中の浮き上がりが防止できるため、常に円滑に排水されるようになるものである。しかも、ドレンホースを不意に踏み付けたりして破損することも防止することができるものである。
【００４５】
【発明の効果】
本発明によれば、次の効果が得られる。
【００４６】
請求項１記載の発明に空調室外機の据付台は、側壁部にドレンホースを固定する固定手段が設けられているので、ドレンホースを長期にわたって確実に固定することができ、さらに、ドレンホースを固定するための施工を簡単に行うことができる。そして、ドレンホースの途中の浮き上がりが防止できるため、常に円滑に排水されるようになる。しかも、ドレンホースを不意に踏み付けたりして破損することも防止することができる。また、ドレンホースを据付台に固定するには、側壁部の長手方向に沿って形成されたドレンホース係入溝にドレンホースを係入するだけでよく、他の部材は不要なので安価に実施することができる。
【００４７】
また、固定部材によってドレンホースの軸線が水平面に対して傾斜状態に保持されるため、水抜き勾配が確保される。このため、空調室外機の結露で生じる水がドレンホースを通って常に円滑に排水される。
【００４８】
また、空調室外機の据付台は、ドレンホースを据付台に対して簡単に固定することができるため、施工が楽になる。
【００５０】
請求項２記載の発明に係る空調室外機の据付台では、側壁部は、固定手段に対応する箇所のみ肉厚に形成されているので、ドレンホースを固定する部分の強度を確保しつつ、据付台形成に使用する樹脂の全体量が少なくて済むため、安価に実施することができる。
【図面の簡単な説明】
【図１】本発明の実施の形態１に係る空調室外機の据付台の要部を示す斜視図である。
【図２】本発明の実施の形態１において、ドレンホースを固定する固定手段を拡大して示す断面図である。
【図３】本発明の実施の形態１において、据付台に固定手段を用いてドレンホースを固定した状態を示す斜視図である。
【図４】本発明の実施の形態２に係る空調室外機の据付台におけるドレンホースの固定手段の部分を拡大して示す斜視図である。
【図５】本発明の実施の形態３に係る空調室外機の据付台の縦断面図である。
【図６】本発明の他の実施の形態に係る空調室外機の据付台の要部を示す斜視図である。
【図７】本発明のさらに他の実施の形態に係る空調室外機の据付台を示す斜視図である。
【図８】従来の樹脂製の据付台を用いて空調室外機を設置した場合の一例を示す斜視図である。
【図９】従来の樹脂製の据付台を用いて空調室外機を設置する手順を説明する分解斜視図である。
【符号の説明】
１    空調室外機
２    据付台
１２    天井部
１３    側壁部
１５    ドレンホース
１７１，１７２，１７３  固定手段
１８    サドル（固定部材）
１９    嵌合穴（係止部）
２２    肉厚部分
２３    凹溝（係止部）
２５    サドル（固定部材）
２６    係合溝（係止部）
２９    ドレンホース係入溝（係止部）
【図１】
0004029645.tif 000002
【図２】
0004029645.tif 000003
【図３】
0004029645.tif 000004
【図４】
0004029645.tif 000005
【図５】
0004029645.tif 000006
【図６】
0004029645.tif 000007
【図７】
0004029645.tif 000008
【図８】
0004029645.tif 000009
【図９】
0004029645.tif 000010